(57)【要約】      （修正有）【課題】口部に嵌合するキャップを用いても、確実に外部とタンク本体内に挿通する隙間を確保してタンク本体内の負圧を防止し、しかもゴミ等の混入も極めて少なく、簡易かつ低コストでポンプ等の移送手段で薬液を系内に送る負圧防止機能付き薬液タンクを提供する。【解決手段】薬液を系内に注入する薬液注入装置の薬液タンク１であって、ネジが形成された口部３ａ及び薬液４をポンプ６により送り出す流出口３ｇを有するタンク本体と、前記口部に嵌合するネジが形成されたキャップ２とからなり、前記口部の上端部３ｃに凸部３ｄを設けたことを特徴とする負圧防止機能付き薬液タンクの構成とした。【選択図】図１
0003141762.tif 000002
【実用新案登録請求の範囲】
【請求項１】
薬液を系内に注入する薬液注入装置の薬液タンクであって、ネジが形成された口部及び薬液をポンプにより送り出す流出口を有するタンク本体と、前記口部に嵌合するネジが形成されたキャップとからなり、前記口部の上端部に凸部を設けたことを特徴とする負圧防止機能付き薬液タンク。
【請求項２】
前記凸部の両端部をテーパ状に成型したことを特徴とする請求項１に記載の負圧防止機能付き薬液タンク。
【考案の詳細な説明】
【技術分野】
【０００１】
本考案は、例えば開放循環冷却水系などの系内、機器に水処理薬剤などの薬液を注入する薬液注入装置に用いられる薬液を貯溜する容器（薬液タンク）に関し、更に詳しくは、ポンプ等の移送手段を用いて薬液を薬液タンクから送り出すことにより、薬液タンク内の薬液体積が減少しても、薬液タンク内が負圧にならない負圧防止機能付き薬液タンクに関する。
【背景技術】
【０００２】
開放循環冷却水系における水処理においては、必要な水質を維持して系内の構成機器を各種障害から守るため、種々の薬液が系内に注入される。薬液を系内に注入するには、専用の薬液注入装置が使用され、通常その装置には薬液を貯溜するための薬液タンクと呼ばれる樹脂製の容器が備わっている。
【０００３】
このような薬液タンクにおいては、薬液を系内へ注入するにつれて薬液タンク内の薬液体積が減少するので、薬液タンクが密閉されている場合には、薬液タンク内の圧力が負圧となり、薬液注入装置のポンプの駆動異常やタンク本体の変形の原因となるので、その防止のため種々の対策が講じられている。
【０００４】
一般的には、図５に示すような逃し弁１３を利用する薬液タンク１０が使用されている。薬液タンク１０は、上部に薬液４を補充するタンク本体１１の口部１１ａ、底部に系内に薬液４を送る流出口３ｇが形成され、流出口３ｇは、薬液４の送り出しポンプ６と連結する送液チューブ５と接続する。
【０００５】
逃し弁１３は、薬液４を補充するタンク本体１１の口部１１ａに嵌めるタンク本体１１内を密閉にするキャップ１２に取り付ける。これにより、タンク本体１１内部の圧力が外気圧よりも低くなると、逃し弁１３を介して外気がタンク本体１１内部に連通し、タンク本体１１内部が負圧になることを防止する。口部１１ａの外周部、キャップ１２内周部には、それぞれ外ネジ３ｂ、内ネジ２ａが形成され嵌合する。例えば、特許文献１の薬液タンクがそれに該当する。
【特許文献１】特開２００２−３４７４５４号公報
【０００６】
また、より簡便な手段により、タンク本体内部の負圧を防止する薬液タンクとして、図６に示す薬液タンク１４がある。薬液タンク１４は、口部１１ａ、及びポンプ６に接続する吸引側チューブ５ａを中に通すチューブ用ガイド９を挿通する流出口８ａが上面に設けられたタンク本体１５と、前記口部１１ａに嵌合するキャップ２とからなる。
【０００７】
タンク本体１５の口部１１ａとキャップ２はネジ構造により嵌合し、口部１１ａ上面と、キャップ２内面が密着する。ポンプ６のもう一方は、系内に薬液４を送る送出側チューブ５ｂが連結している。
【０００８】
チューブ用ガイド９の上面は開放され、チューブ５ａとの間に隙間があり、タンク本体１５を密閉にすることがない。そのため薬液４の注入によりタンク本体１５内の薬液４が減少すると、外気が自然にチューブ用ガイド９を通りタンク本体１５内に連通する。従って、逃し弁１３などの特殊な部品を設けなくとも、タンク本体１５内が負圧になることがない。
【考案の開示】
【考案が解決しようとする課題】
【０００９】
しかしながら、図５に記載のような逃し弁１３を用いて、タンク本体１１内の負圧を防止するためには、キャップ１２の構造が複雑となり、さらに逃し弁１３をキャップ１２に取り付けなければならず、薬液タンク１０の製造コストが高くなってしまう。
【００１０】
さらに、逃し弁１３の取り付けられたキャップ１２を取り扱うには、逃し弁１３に損傷を与えないよう慎重な作業が要求され、薬液タンク１０への薬液４の補充作業が繁雑となり効率が良くなかった。
【００１１】
また、図６に記載の手段により負圧防止も簡易に可能であるが、チューブ用ガイド９とチューブ５ａとの間に隙間が発生するため、ゴミや雨水等がタンク内部に混入し、タンク内薬液の性能および品質を維持する面で、また、ポンプ６や薬液が送られる系内の機器に損傷を与えることがあるという面でも問題であった。従って、図６の薬液タンク１４は、設置場所、使用する系、機器に制限があった。
【００１２】
他方、外ネジ構造の口部と内ネジ構造のキャップの嵌合程度を単に緩めておくことで、タンク本体内の負圧を防止することも可能であるが、その緩め具合が定まらないこと、また誤作業によりきつくキャップを閉めてしまう恐れもある。
【００１３】
そこで、本考案は、口部に嵌合するキャップを用いても、確実に外部とタンク本体内に連通する隙間を確保してタンク本体内の負圧を防止し、しかもゴミや雨水等の混入も極めて少なく、簡易かつ低コストでポンプ等の移送手段で薬液を系内に送る負圧防止機能付き薬液タンクを提供することを目的とするものである。
【課題を解決するための手段】
【００１４】
本考案は、上記の課題を解決するために、薬液４を系内に注入する薬液注入装置の薬液タンクであって、ネジが形成された口部３ａ及び薬液４をポンプ６により送り出す流出口を有するタンク本体と、前記口部に嵌合するネジが形成されたキャップ２とからなり、前記口部３ａの上端部に凸部３ｄを設けたことを特徴とする負圧防止機能付き薬液タンクの構成とした。また、前記凸部３ｄの両端部をテーパ３ｅ状に成型したことを特徴とする前記負圧防止機能付き薬液タンク１、７の構成とした。
【考案の効果】
【００１５】
本考案は、以上の構成であるから以下の効果が得られる。第１に、口部の上端部に凸部を形成し、故意に、口部の上端部とキャップ内面の間に隙間をつくり、外気がタンク内に連通できるようにすることにより、薬液の消費とともにタンク本体内の薬液体積が減少しても、タンク本体内が負圧とはならないので、薬液注入装置のポンプの駆動異常やタンク本体の変形を防止することが簡易かつ低コストで可能となる。
【００１６】
また、外気と連通するよう故意に設けた隙間はキャップ内面に位置し、しかも、ゴミや雨水等の異物がタンク本体内に混入するには、嵌合している外ネジと内ネジの微細な隙間を通過することが必要であり、ゴミや雨水等の異物がタンク本体内に混入することは極めて少ない。それ故、屋外などへも設置が可能であり、設置場所に係わる制限も極めて少ない。
【００１７】
更に、本考案の製造には、口部の上端部に凸部を形成するだけでよく、従って凸部が形成されるようにタンク本体の成型金型を加工（凸部に対応する溝を形成）しておけば足り、成型されたタンク本体に特殊な加工を施す必要はないので、従来のものと殆ど変わらないコストでタンク本体を製作することができる。
【００１８】
加えて、本考案の実施では、逃し弁のような部品を取り付けないので、薬液タンクへの薬液の補充作業に関し、従来と比較して特別な配慮をする必要がなく極めて作業性がよい。
【考案を実施するための最良の形態】
【００１９】
口部に嵌合するキャップを用いても、確実に外部とタンク本体内に挿通する隙間を確保してタンク本体内の負圧を防止し、しかもゴミや雨水等の混入も極めて少なく、簡易かつ低コストでポンプ等の移送手段で薬液を系内に送る負圧防止機能付き薬液タンクを提供する目的を、薬液４を系内に注入する薬液注入装置の薬液タンクであって、ネジが形成された口部３ａ及び薬液４をポンプ６により送り出す流出口を有するタンク本体と、前記口部に嵌合するネジが形成されたキャップ２とからなり、前記口部３ａの上端部に両端部をテーパ３ｅ状に成型した凸部３ｄを設けたことを特徴とする負圧防止機能付き薬液タンク１、７の構成とすることで実現した。
【００２０】
薬液タンクは、口部を有するタンク本体と、口部に嵌合するキャップとからなり、キャップと、口部の間に故意に隙間を確保し、外気をタンク本体内を連通させる。前記隙間は、口部の上端部に凸部を設けることで可能である。
【００２１】
凸部の形状は、上端面より高い構造であれば特に限定されるものではないが、凸部の両端部をテーパ状に成型（左右テーパ）することが望ましい。キャップのねじ込み時や緩め時にキャップと凸部端部が引っかからず、スムーズにキャップを口部にねじ込むことができまた緩めることができるためである。更に、鋭角的な角を無くすことにより、作業者の安全や怪我の防止を図ることができる。
【００２２】
凸部の高さ、個数、配置も特に制限されるものではないが、確実に隙間を確保するために、凸部間の高さは一定で、上端部に均等間隔に配置することが望ましい。高さが異なったり、均等に配置されていないと、キャップが傾きネジの締め込みが確実とはならず、振動のある場所では、薬液が漏れたりキャップが緩み外れる恐れがある。
【００２３】
嵌合手段としては、口部とキャップをネジ構造とする嵌合手段が挙げられる。ネジは口部の外周面とキャップの内側面に設けるのが望ましい。
【００２４】
口部は、薬液のタンク内への補充専用であっても、薬液を目的箇所に移送するポンプに接続するチューブを挿通する口と共有であってもよい。また別であってもよい。その場合、口部は薬液タンク本体上面部又は側面上部に、薬液を送り出す流出口はタンク側面底部或いはタンク上面など薬液４の移送手段、薬タンクの設置場所などを勘案し、適宜選択し設ける。その他、タンク内部の圧力、温度、薬液の品質等を測定する機器を挿入する口部があっても構わない。
【００２５】
薬液タンクの素材は、特に限定されるものではないが、樹脂が安価、成型性がよく好適である。従って、口部に凸部を設けるためには、従来のタンク本体成型用金型に凸部に対応する溝を彫ることで簡便にできる。
【００２６】
また、従来のタンク本体の口部上端部に、別途手配した凸部を取り付けてもよいが、加工費用が大きくなる上、使用による耐久性があまりよくないので望ましい方法とは言えない。
【００２７】
本考案の薬液タンクは、薬液の注入のみならず、タンク本体に貯溜された液体を、タンク本体内を負圧にすることなく目的箇所に移送する場合も使用できる。また薬液は、薬品のみならず、液体であれば、特に制限されず使用することができる。
【００２８】
以下、添付図面に基づき本考案で負圧防止機能付き薬液タンクについて詳細に説明する。
【実施例１】
【００２９】
図１は、本考案である薬液タンクの断面図である。薬液タンク１は、タンク本体３とタンク本体３に嵌合するキャップ２とからなり、薬液４を開放循環冷却水系などの系内、機器にポンプ６などを用いて注入する薬液注入装置に使用される薬液タンクである。
【００３０】
タンク本体３は、上面に外ネジ３ｂが外周部に形成された口部３ａ及び側面底部にポンプ６に送液チューブ５を介して連結する流出口３ｇを有する。流出口３ｇから送り出された薬液４は目的の系内に注入される。
【００３１】
口部３ａの上端部には、両端がテーパ３ｅ状をした凸部３ｄが設けられている。キャップ２は、内側側面に内ネジ２ａが設けられ、口部３ａに嵌め込められる。
【００３２】
このようにしてなるキャップ２を口部３ａに嵌合することで、確実に口部３ａとキャップ２の間に、外気をタンク本体３に連通する隙間３ｆが形成される。これにより、薬液４の使用によってタンク本体３内の薬液体積が減少しても、タンク本体３内部が負圧になることを簡易かつ確実に防止することができる。
【００３３】
図２は実施例１の注液口の上端部の平面図、図３は図２矢視Ａ位置の注液口の側面図である。
【００３４】
凸部３ｄは、ここでは、口部３ａの上端部３ｃに、中心から９０℃の範囲に渡って２箇所、それぞれ対向する位置に配置している。これにより、キャップ２が均等の高さに保持される。また、凸部３ｄの形状は両端部がテーパ３ｅ状となっており、キャップ２のねじ込み時や緩め時にキャップ２と凸部３ｄが引っかからず、スムーズにキャップをねじ込むことができまた緩めることもできる。更に、鋭角的な角を無くすことにより、作業者の安全や怪我の防止を図ることができる。
【実施例２】
【００３５】
図４は、本考案である薬液タンクの第２の実施形態の断面図である。薬液タンク７は、口部３ａ、及びポンプ６に接続する吸引側チューブ５ａを中に通すチューブ用ガイド９を挿通する流出口８ａが上面に設けられ、前記チューブ用ガイド９の上面がシール材９ａで密閉されたタンク本体８と、前記口部３ａに嵌合するキャップ２とからなる。シール材９ａを用いてタンク本体８の気密性を高め、ゴミや雨水等のタンク本体８内への混入を防止しても、タンク本体８内が負圧になることはない。
【００３６】
口部３ａの上端部３ｃには実施例１と同様に両端部がテーパ３ｅ状の凸部３ｄが２箇所設けられている。チューブ５ａは、タンク本体８の底８ｂまで挿入され、薬液４をポンプ６によって吸引する。薬液４は、ポンプ６の送出側チューブ５ｂにより、目的の箇所に送られる。
【００３７】
このように、凸部３ｄを設けた口部３ａとキャップ２の構成を有すれば、タンク本体の形状、流出口の位置など適宜変更し、目的の形状とすることができる。
【図面の簡単な説明】
【００３８】
【図１】本考案である薬液タンクの断面図である。
【図２】実施例１の注液口の上端部の平面図である。
【図３】図２矢視Ａ位置の注液口の側面図である。
【図４】本考案である薬液タンクの第２の実施形態の断面図である。
【図５】従来の圧力調整弁を用いた薬液タンクの断面図である。
【図６】従来の薬液タンクの断面図である。
【符号の説明】
【００３９】
１      薬液タンク
２      キャップ
２ａ    内ネジ
３      タンク本体
３ａ    口部
３ｂ    外ネジ
３ｃ    上端部
３ｄ    凸部
３ｅ    テーパ
３ｆ    隙間
３ｇ    流出口
４      薬液
５      送液チューブ
５ａ    チューブ
５ｂ    チューブ
６      ポンプ
７      薬液タンク
８      タンク本体
８ａ    流出口
８ｂ    底
９      チューブ用ガイド
９ａ    シール材
１０    薬液タンク
１１    タンク本体
１１ａ  口部
１２    キャップ
１２ａ  孔
１３    逃し弁
１４    薬液タンク
１５    タンク本体
【図１】
0003141762.tif 000003
【図２】
0003141762.tif 000004
【図３】
0003141762.tif 000005
【図４】
0003141762.tif 000006
【図５】
0003141762.tif 000007
【図６】
0003141762.tif 000008